(57)【要約】      （修正有）【課題】コマンドにより確実に自沈させることができ、省スペース化および製造コストの低減が可能な観測用漂流ブイの自沈没装置を提供する。【解決手段】ブイの空気抜き路と海水導入路８とを開口させブイ内部に海水を流入させてブイを自沈させる観測用漂流ブイの自沈没装置において、前記空気抜き路として気圧計７に空気圧を導入する気圧導入パイプ３を利用する。また、前記観測用漂流ブイの自沈装置において、前記空気抜き路と海水導入路８とを開口させる開口装置として、単一の機構を利用するものである。【選択図】図１
2010030550.tif 000002
【特許請求の範囲】
【請求項１】
ブイの空気抜き路と海水導入路とを開口させブイ内部に海水を流入させてブイを自沈させる観測用漂流ブイの自沈没装置において、前記空気抜き路として気圧計に空気圧を導入する気圧導入パイプを利用することを特徴とする観測用漂流ブイの自沈没装置。
【請求項２】
前記空気抜き路と海水導入路とを開口させる開口装置として単一の機構を利用する請求項１の観測用漂流ブイの自沈没装置。
【請求項３】
前記開口装置は減速機付モータの出力軸で回動されるレバーの両端で空気抜き路と海水導入路との夫々の開口部を閉じている栓を引き抜く機構である請求項２の観測用漂流ブイの自沈没装置。
【発明の詳細な説明】
【技術分野】
【０００１】
この発明は気象や地球環境のデータを観測するための観測用漂流ブイの自沈没装置に関する。
【背景技術】
【０００２】
従来から気象予報や地球環境調査、地球温暖化現象の解明調査等のために波高ブイ等気象観測機器を搭載したブイを海洋に漂流させ、長期間各種センサーでデータを取得する研究が行われている。これらのブイにより収集したデータは無線装置とアンテナで送信され、通信衛星を介して地上局に送られる。漂流ブイは観測データの精度を上げるため、安価なブイを多数漂流させる要求に対応するようにコストを抑えたものが多くの国から販売されている。
【０００３】
これらの漂流ブイは電池消耗後、そのまま漂流させ自然消滅させるのが一般であった。しかしながら、使用済みの機能しないブイは海上のごみとなり環境汚染の原因の１つとなる。そこで、観測終了後に電波でコマンドを送り、短期間で自沈させるブイの自沈没装置が開発されている。
【０００４】
そのような従来の観測用漂流ブイの自沈没装置の例を図５により説明する。図５に示すブイ本体２０は内部に観測機器や送受信機を内蔵した防水構造の容器を形成している。この観測機器および送受信機を収納したブイ本体２０は海洋に漂流する観測用漂流ブイであるが、電池消耗後受信したコマンドにより自沈する。そのための自沈没装置として、上部に開口装置付き空気抜き路２１が設けられ下部に開口装置付き海水導入路２２が設けられている。
【０００５】
開口装置付き空気抜き路２１および開口装置付き海水導入路２２は閉じられたパイプに自動的にモータによりパイプを鋸等で開口させ開口装置が付設されている。自沈させるコマンドを受信すると、これらの開口装置が作動して開口装置付き空気抜き路２１および開口装置付き海水導入路２２が開口して、開口装置付き海水導入路２２から海水が流入し、開口装置付き空気抜き路２１から空気が抜けて観測用漂流ブイは短期間に自沈する。
【０００６】
上記の観測用漂流ブイの自沈没装置は、大型のブイでは問題がないが、小型のブイでは、上部の空気抜き路を設けるためのスペースを設けることが小型化を達成するための障害となっていた。
【０００７】
この空気抜き路は自沈没装置を作動させるとき以外は、絶対に開口してはならず、流木が衝突したりして破壊しない構造が必要であり、スペースや製造コストを増大させる要因となっている。さらに、内部に開口装置を２個配置しなければならず、製造コストが増大し、内部のスペースも大きくしなければならないという問題があった。
【０００８】
また、観測終了後もコマンドで自沈させることなく、材料の海水浸食を利用する方法もあるが、この方法では沈めたいときに沈まず、沈む時期がバラツクという問題がある。
【０００９】
特開２００２−１２１８５号公報に開示された従来のブイの自沈没装置は、ブイ本体２の上部に空気を抜くための抜気穴１２が設けられているために、やはり、小型化を達成するための障害となっていた。
【特許文献１】特開２００２−１２１８５号公報、段落０００６、図１
【発明の開示】
【発明が解決しようとする課題】
【００１０】
この発明は上記した点に鑑みてなされたものであって、その目的とするところは、コマンドにより確実に自沈させることができ、省スペース化および製造コストの低減が可能な観測用漂流ブイの自沈没装置を提供することにある。
【課題を解決するための手段】
【００１１】
この発明の観測用漂流ブイの自沈没装置は、ブイの空気抜き路と海水導入路とを開口させブイ内部に海水を流入させてブイを自沈させる観測用漂流ブイの自沈没装置において、前記空気抜き路として気圧計に空気圧を導入する気圧導入パイプを利用するものである。
【００１２】
また、前記観測用漂流ブイの自沈没装置において、前記空気抜き路と海水導入路とを開口させる開口装置として単一の機構を利用するものである。
【００１３】
また、前記観測用漂流ブイの自沈没装置において、前記開口装置を減速機付モータの出力軸で回動されるレバーの両端で空気抜き路と海水導入路との夫々の開口部を閉じている栓を引き抜く機構としたものである。
【発明の効果】
【００１４】
この発明の観測用漂流ブイの自沈没装置によれば、コマンドにより確実に自沈させることができ、省スペース化および製造コストの低減が可能となる。
【発明を実施するための最良の形態】
【００１５】
以下この発明を実施するための最良の形態を実施例に即して説明する。
【実施例１】
【００１６】
図１はこの発明の実施例１である観測用漂流ブイの自沈没装置の概略構成を示す断面図である。図１に示すブイ本体１は内部に観測機器や送受信機を内蔵した防水構造の容器を形成している。
【００１７】
ブイ本体１の上部には、気圧導入口２が設けられており、ブイ本体１の内部に配置されている水溜め５と気圧導入口２とは上流側気圧導入パイプ３とで接続されている。さらに、水溜め５と気圧計７とが下流側気圧導入パイプ６で接続されている。
【００１８】
この発明の特徴部分であるパイプカッタ４は上流側気圧導入パイプ３に取付けられている。パイプカッタ４はコマンドを受信すると作動するモータによりパイプを鋸で切断するものである。
【００１９】
ブイ本体１の下部には、開口装置付き海水導入路８が設けられている。この開口装置はコマンドを受信すると作動するモータにより海水導入路８を開口させるものである。実施例１の観測用漂流ブイは、図示していない受信機が自沈を指令するコマンドを受信すると、パイプカッタ４および海水導入路８に付設された開口装置の夫々のモータを作動させて上流側気圧導入パイプ３と海水導入路８をブイ本体１の内部に対して開口させる。
【００２０】
これにより、上流側気圧導入パイプ３からブイ本体１から空気が抜けると共に海水導入路８から海水がブイ本体１に流入し、観測用漂流ブイは短期間に自沈する。この実施例では、ブイ本体１上部に空気抜き路を特別に設ける必要がなく、省スペース化および製造コストの削減が達成される。
【実施例２】
【００２１】
図２はこの発明の実施例２である観測用漂流ブイの自沈没装置の概略構成を示す断面図、図３および図４は同自沈没装置の開口装置を一部断面として示す側面図である。
【００２２】
図２に示すブイ本体１０は内部に観測機器や送受信機を内蔵した防水構造の容器を形成している。ブイ本体１０の上部には、気圧導入口２が設けられており、ブイ本体１０の内部に配置されている水溜め１１と気圧導入口２とは上流側気圧導入パイプ３とで接続されている。さらに、水溜め１１と気圧計７とが下流側気圧導入パイプ６で接続されている。
【００２３】
ブイ本体１０の下部には、海水導入路１２が設けられている。開口装置１３は後で図３および図４により詳しく説明するが、モータにより水溜め１１と海水導入路１２をブイ本体１の内部に対して開口させる。
【００２４】
図３および図４に示すように、開口装置１３は減速機付きモータ１３ａ、減速機付きモータ１３ａの出力軸に固定されたレバー１３ｂおよびレバー１３ｂの両端により取付けられ、水溜め１１および海水導入路１２を夫々開閉する栓１３ｄおよび１３ｃで構成されている。
【００２５】
この観測用漂流ブイが使用されているときは、図３に示すように、栓１３ｄおよび１３ｃは水溜め１１および海水導入路１２を夫々閉じている。実施例２の観測用漂流ブイは、図示していない受信機が自沈を指令するコマンドを受信すると、減速機付きモータ１３ａを出力軸が反時計方向に回転するように駆動する。
【００２６】
そして、図４に示すように、栓１３ｄおよび１３ｃが夫々水溜め１１および海水導入路１２から抜かれ、ブイ本体１から空気が矢印で示すように、水溜め１１および上流側気圧導入パイプ３を通りブイ本体１から抜けると共に海水導入路１２から海水がブイ本体１０に流入し、観測用漂流ブイは短期間に自沈する。
【００２７】
この実施例では、ブイ本体１１上部に空気抜き路を特別に設ける必要がなく、省スペース化および製造コストの削減が達成される。さらに、開口装置を１個設けるだけでよく、製造コスト削減および省スペース化の効果が実施例１のものよりさらに大きくなる。
【００２８】
実施例は以上のように構成されているが発明はこれに限られず、例えば、実施例２の開口装置を減速機付きモータで駆動する代わりにソレノイドで駆動するようにしてもよい。
【図面の簡単な説明】
【００２９】
【図１】この発明の実施例１である観測用漂流ブイの自沈没装置の概略構成を示す断面図である。
【図２】この発明の実施例２である観測用漂流ブイの自沈没装置の概略構成を示す断面図である。
【図３】同自沈没装置の開口装置を一部断面として示す側面図である。
【図４】同開口装置の他の状態を一部断面として示す側面図である。
【図５】従来の観測用漂流ブイの自沈没装置の概略構成を示す断面図である。
【符号の説明】
【００３０】
１  ブイ本体
２  気圧導入口
３  上流側気圧導入パイプ
４  パイプカッタ
５  水溜め
６  下流側気圧導入パイプ
７  気圧計
８  開口装置付き海水導入路
１０  ブイ本体
１１  水溜め、１１ａ  開口
１２  海水導入路
１３  開口装置、１３ａ  減速機付モータ、１３ｂ  レバー、１３ｃ、１３ｄ  栓
２０  ブイ本体
２１  開口装置付き空気抜き路
２２  開口装置付き海水導入路
【図１】
2010030550.tif 000003
【図２】
2010030550.tif 000004
【図３】
2010030550.tif 000005
【図４】
2010030550.tif 000006
【図５】
2010030550.tif 000007